(57)【特許請求の範囲】
【請求項１】
被検体に向けて放射線を照射する放射線源と、
前記放射線源から照射される放射線の広がりを制限するコリメータと、
前記コリメータに設けられた可視光線を照射する可視光源と、
前記可視光源から照射される可視光線を反射させて、可視光線を前記コリメータに向けて照射させるとともに、前記放射線源から照射される放射線を透過させて、放射線を前記コリメータに向けて照射させるミラーと、
被検体から透過してきた放射線を検出するとともに、個体を識別する色づけがされた複数の検出手段と、
前記検出手段が出力する信号を基に画像を生成する画像生成手段と、
複数の前記検出手段のうち撮影に用いる前記検出手段を術者に選択させる入力手段と、
前記可視光源から発する光の色が前記入力手段を通じて選択された前記検出手段の個体を識別する色となるように前記可視光源の発光色を制御する発光色制御手段とを備えることを特徴とする放射線撮影装置。
【請求項２】
請求項１に記載の放射線撮影装置において、
複数の前記検出手段を区別する符号と前記検出手段に付された色とが関連したテーブルを記憶する記憶手段を備え、
前記入力手段は、複数の前記検出手段を区別する符号を表示することで術者に前記検出手段の選択をさせるとともに、
前記発光色制御手段は、前記記憶手段より前記テーブルを読み出して動作することを特徴とする放射線撮影装置。
【請求項３】
請求項１または請求項２に記載の放射線撮影装置において、
前記検出手段の各々には、前記検出手段の周囲を縁取るように色づけがされていることを特徴とする放射線撮影装置。
【請求項４】
請求項１ないし請求項３のいずれかに記載の放射線撮影装置において、
前記検出手段の各々には、放射線を検出する検出面の側に色づけがされていることを特徴とする放射線撮影装置。
【請求項５】
請求項１ないし請求項４のいずれかに記載の放射線撮影装置において、
前記検出手段の各々には、前記検出手段によって異なる色が付けられたシールが貼り付けられることにより色づけがされていることを特徴とする放射線撮影装置。
【請求項６】
請求項１ないし請求項５のいずれかに記載の放射線撮影装置において、
撮影に用いる前記検出手段と信号の授受を無線を通じて行うアクセスポイントを備えることを特徴とする放射線撮影装置。
【発明の詳細な説明】
【技術分野】
【０００１】
この発明は、被検体の放射線撮影を行う放射線撮影装置に関し、特に、撮影に用いる放射線検出器を選択することができる放射線撮影装置に関する。
【背景技術】
【０００２】
医療機関には放射線を照射して被検体Ｍのイメージングを行う放射線撮影装置が配備されている（例えば、特許文献１参照）。このような放射線撮影装置は、図１１に示すように放射線を照射する放射線源５３と、放射線を検出するＦＰＤ５４とを備えている。放射線源５３とＦＰＤ５４との間には被検体Ｍを載置する天板５２が備えられている。【０００３】
放射線源５３には、放射線の照射範囲を制限するコリメータ５３ａが付設されている。放射線源５３から発した放射線は、このコリメータ５３ａを通過することで広がりが制限されて被検体Ｍに照射されることになる。【０００４】
ＦＰＤ５４は、放射線撮影装置本体と無線を用いて情報のやりとりをする構成となっている。この様な構成とすることで、ＦＰＤ５４と放射線撮影装置本体との間でケーブルを敷設する必要がなくなり、放射線撮影装置の利便性が向上する。【０００５】
このような無線タイプのＦＰＤ５４は、複数の放射線撮影装置の間で共用することができるようになっている。したがって、放射線撮影装置とＦＰＤ５４とは１対１で対応している訳ではない。この様な放射線撮影装置を用いて被検体の撮影を行うときには、術者はまず複数のＦＰＤ５４が配置された置き場からＦＰＤ５４の一つを取り出す。このようにして取り出されたＦＰＤ５４は、現状において他の撮影に用いられていない空きのＦＰＤ５４である。【０００６】
次に、術者は放射線撮影装置の操作パネルを用いてこれより使用するＦＰＤ５４を指定する。術者が操作パネルに描写されたアイコンに触れることで撮影に用いるＦＰＤ５４を選択することができる。術者がこの様な操作をすることで、放射線撮影装置本体とＦＰＤ５４とのペアリングがなされる。放射線撮影装置本体は、術者により選択されたＦＰＤ５４に各種の信号を送受信することにより、被検体の撮影を実行する。
【先行技術文献】
【特許文献】
【０００７】
【特許文献１】特開２０１１−１８９１１４
【発明の概要】
【発明が解決しようとする課題】
【０００８】
しかしながら、従来構成には、次のような問題点がある。すなわち、従来構成では、術者がＦＰＤの指定の誤りに気が付きにくい。【０００９】
術者が撮影を開始しようとしてＦＰＤの置き場からＦＰＤを一つ取り出したときに、どのＦＰＤが撮影に用いられるのかを放射線撮影装置本体に確実に認識させる必要がある。そうでなければ、放射線撮影装置は、ＦＰＤの置き場に未だ置かれたままとなっている別のＦＰＤに撮影開始の信号を送信して撮影動作を続行してしまうことになってしまう。この様な事態となれば、被検体Ｍの下に置かれたＦＰＤ５４が放射線撮影装置のシステムに組み込まれないことになり、事実上、ＦＰＤ無しで撮影が続行されてしまう。つまり、術者がＦＰＤ５４の選択を誤ると撮影を全うに完結することができない。【００１０】
従来構成によれば、術者が操作パネル上でＦＰＤの選択の間違いに気が付くのは、被検体に放射線が照射された後になる。このような無駄な放射線照射は、被検体の放射線被曝を低減する観点から望ましくない。また、従来構成において術者がＦＰＤの選択を間違うと、いったん撮影操作を終えてからもう一度撮影を始めからやり直しすることになるので迅速な撮影をすることができなくなる。【００１１】
そこで、従来構成では、ＦＰＤの取り違えを防ぐ目的で、ＦＰＤの個体を区別する符号をＦＰＤに貼り付けている。術者は、事前にＦＰＤに貼り付けられた符号を確認しておけば、操作パネルを通じてＦＰＤを選択するときにどのアイコンに触れたらいいかを正確に認識することができる。しかし、この方法では、術者の操作ミスを確実に防止できない。【００１２】
すなわち、ＦＰＤに符号を貼り付ける方法では、術者が意識的にＦＰＤ上の符号と操作パネル上の符号との一致を確認する必要がある。従って、術者が撮影の作業に追われている場合、符号の一致をうっかり確認し忘れてしまうことも出てきてしまう。術者がより直感的にＦＰＤの選択ミスに気が付く方法があれば、術者はよりスムーズに撮影を完了することができるのである。【００１３】
本発明は、この様な事情に鑑みてなされたものであって、その目的は、複数の検出手段を取り替えて用いることができる放射線撮影装置において、術者が検出手段の選択ミスをいち早く認識できるようにし、操作性が向上した放射線撮影装置を提供することにある。
【課題を解決するための手段】
【００１４】
本発明は上述の課題を解決するために次のような構成をとる。
すなわち、本発明に係る放射線撮影装置は、被検体に向けて放射線を照射する放射線源と、放射線源から照射される放射線の広がりを制限するコリメータと、コリメータに設けられた可視光線を照射する可視光源と、可視光源から照射される可視光線を反射させて、可視光線をコリメータに向けて照射させるとともに、放射線源から照射される放射線を透過させて、放射線をコリメータに向けて照射させるミラーと、被検体から透過してきた放射線を検出するとともに、個体を識別する色づけがされた複数の検出手段と、検出手段が出力する信号を基に画像を生成する画像生成手段と、複数の検出手段のうち撮影に用いる検出手段を術者に選択させる入力手段と、可視光源から発する光の色が入力手段を通じて選択された検出手段の個体を識別する色となるように可視光源の発光色を制御する発光色制御手段とを備えることを特徴とするものである。【００１５】
［作用・効果］本発明の放射線撮影装置は、個体を識別する色づけがされた複数の検出手段と、撮影用に選択された検出手段に対応する色で発光する可視光源を備えている。この可視光源は、放射線撮影に先立ってコリメータを調節するときに用いる光源である。放射線撮影をするときには、放射線の照射を実行する前に、可視光源を用いてコリメータの開度の調節がなされる。従って、可視光源から発する光の色は、撮影の際、術者に確実に認識される。そして、この可視光源から発する光の色の種類は、術者が入力手段を通じて選択した検出手段の個体を表している。従って、例え術者が検出手段の選択に係る入力を誤ったとしても、コリメータ調節の際に検出手段に付けられた色と、可視光源から発する光の色とが不一致となったことから入力の誤りを確実に知ることができる。この時点で術者は速やかに検出手段の選択の入力をやり直すことができるのである。また、本発明によれば、術者は放射線照射の前に入力の誤りを知ることができるので、被検体に対する無駄な放射線被曝を抑制することもできる。【００１６】
また、上述の放射線撮影装置において、複数の検出手段を区別する符号と検出手段に付された色とが関連したテーブルを記憶する記憶手段を備え、入力手段は、複数の検出手段を区別する符号を表示することで術者に検出手段の選択をさせるとともに、発光色制御手段は、記憶手段よりテーブルを読み出して動作すればより望ましい。【００１７】
［作用・効果］上述の構成は、本発明の放射線撮影装置をより具体的に表している。発光色制御手段が入力手段に表示される個体区別用の符号と、検出手段に付された個体区別用の色とが関連したテーブルに基づいて、可視光源の発光色を制御すれば、入力手段で選択された検出手段の個体をより確実に反映して可視光源を発光させることができる。【００１８】
また、上述の放射線撮影装置において、検出手段の各々には、検出手段の周囲を縁取るように色づけがされていればより望ましい。【００１９】
［作用・効果］上述の構成は、本発明の放射線撮影装置をより具体的に表している。検出手段の周囲を縁取るように色づけがされていれば、術者は、撮影に用いようとしている検出手段はどの個体であるのかを確実に知ることができる。撮影の際、被検体の下に検出手段を配置したときに、術者が検出手段における被検体からはみ出して見える部分に確実に検出手段の個体を区別する色が現れることになるからである。【００２０】
また、上述の放射線撮影装置において、検出手段の各々には、放射線を検出する検出面の側に色づけがされていればより望ましい。【００２１】
［作用・効果］上述の構成は、本発明の放射線撮影装置をより具体的に表している。検出手段の放射線を検出する検出面の側に色づけがされていれば、術者は、撮影に用いようとしている検出手段はどの個体であるのかを確実に知ることができる。撮影の際、被検体からはみ出している検出手段は、術者からは検出手段の検出面が設けられている側が見えているからである。【００２２】
また、上述の放射線撮影装置において、検出手段の各々には、検出手段によって異なる色が付けられたシールが貼り付けられることにより色づけがされていればより望ましい。【００２３】
［作用・効果］上述の構成は、本発明の放射線撮影装置をより具体的に表している。検出手段の色づけをシールにより行えば、既存の検出手段に本発明を適用することができる。【００２４】
また、上述の放射線撮影装置において、撮影に用いる検出手段と信号の授受を無線を通じて行うアクセスポイントを備えればより望ましい。【００２５】
［作用・効果］上述の構成は、本発明の放射線撮影装置をより具体的に表している。本発明は、検出手段が無線式となっている放射線撮影装置に適用できる。
【発明の効果】
【００２６】
本発明の放射線撮影装置は、個体を識別する色づけがされた複数の検出手段と、撮影用に選択された検出手段に対応する色で発光する可視光源を備えている。この可視光源から発する光の色は、コリメータの開度の調節の際、術者に確実に認識される。そして、この可視光源から発する光の色の種類は、術者が入力手段を通じて選択した検出手段の個体を表している。従って、例え術者が検出手段の選択に係る入力を誤ったとしても、コリメータ調節の際に検出手段に付けられた色と、可視光源から発する光の色とが不一致となったことから入力の誤りを確実に知ることができる。
【図面の簡単な説明】
【００２７】
【図１】実施例１に係る放射線撮影装置の構成を説明する機能ブロック図である。
【図２】実施例１に係る操作卓の構成を説明する平面図である。
【図３】実施例１に係るＦＰＤの構成を説明する平面図である。
【図４】実施例１に係るＦＰＤの個体識別を説明する平面図である。
【図５】実施例１に係るテーブルを説明する模式図である。
【図６】実施例１に係るコリメータを説明する斜視図である。
【図７】実施例１に係るコリメータを説明する模式図である。
【図８】実施例１に係る放射線撮影装置の動作を説明するフローチャートである。
【図９】実施例１に係るコリメータの調整について説明する模式図である。
【図１０】実施例１に係るコリメータの調整について説明する模式図である。
【図１１】従来構成の放射線撮影装置を説明する模式図である。
【発明を実施するための形態】
【００２８】
以降、本発明の実施例を説明する。実施例におけるＸ線は、本発明の放射線に相当する。また、ＦＰＤは、フラット・パネル・ディテクタの略である。
【実施例１】
【００２９】
＜Ｘ線撮影装置の全体構成＞
まず、実施例１に係るＸ線撮影装置１の構成について説明する。Ｘ線撮影装置１は、図１に示すように仰臥位の被検体Ｍを載置する天板２と、天板２の上側（一面側）に設けられたＸ線を被検体Ｍに照射するＸ線管３と、天板２に載置されるとともに被検体Ｍの下部に配置された被検体Ｍを透過してきたＸ線を検出して検出信号を出力するＦＰＤ４とを備えている。ＦＰＤ４は、被検体Ｍの体軸方向Ａまたは体側方向Ｓのいずれかに沿った４つの辺を有する矩形となっている。このＦＰＤ４は、撮影の際、被検体Ｍと天板２との間に配置され、そのＸ線を検出する検出面４ａは、Ｘ線管３および被検体Ｍ側に向いている。また、Ｘ線管３は、四角錐形状のＸ線をＦＰＤ４に向けて照射する。したがって、ＦＰＤ４は、Ｘ線を検出面４ａの全面で受光することになる。支柱５は、天板２の下側（他面側）から天板２の上側（一面側）に向けて伸びており、Ｘ線管３を支持している。Ｘ線管３は、本発明の放射線源に相当し、ＦＰＤ４は、本発明の検出手段に相当する。【００３０】
Ｘ線管３には、Ｘ線管３から照射されるＸ線の広がりを制限するコリメータ３ａが設けられている。コリメータ３ａは、Ｘ線管３から照射されるＸ線の広がりを制限する。このコリメータ３ａの具体的な構成は後述する。【００３１】
Ｘ線管制御部６（図１参照）は、所定の管電流、管電圧、パルス幅でＸ線管３を制御する目的で設けられている。Ｘ線管制御部６の制御によりＸ線がＸ線管３から発せられると、Ｘ線は、被検体Ｍを透過してＦＰＤ４の検出面４ａに入射する。ＦＰＤ４の検出面４ａには、Ｘ線を検出する検出素子が２次元マトリックス状に配列されている。ＦＰＤ４は、各検出素子が検出したＸ線強度を検出素子の位置情報とともに検出信号として出力する。【００３２】
実施例１におけるＦＰＤ４は、無線式となっており、撮影の際、ＦＰＤ４とＸ線撮影装置本体とをケーブル等で物理的に接続する必要がない。ＦＰＤ４とＸ線撮影装置本体との間の情報のやりとりは、ＦＰＤ４に備えられた無線式の通信装置と、Ｘ線撮影装置本体に備えられた無線式のアクセスポイント１０との間で無線通信を実行することで行われる。このようにアクセスポイント１０は、撮影に用いるＦＰＤ４と信号の授受を無線を通じて行うように構成されている。【００３３】
画像生成部１１は、アクセスポイント１０を経由してＦＰＤ４より出力される検出信号を基に被検体Ｍの透視像の静止画を生成する。画像生成部１１は、本発明の画像生成手段に相当する。【００３４】
ところで、実施例１に係るＸ線撮影装置本体は、複数のＦＰＤ４のうちから術者により選択された１つのＦＰＤ４を用いて撮影を実行することができる。すなわち、Ｘ線撮影装置本体は、撮影に先立って複数のＦＰＤ４を予め認識しているのである。術者は、認識がなされたＦＰＤ４のいずれかを用いて撮影操作をすることができる。図１においては、複数のＦＰＤ４を保持するホルダＨが描かれている。このホルダＨには、Ｘ線撮影装置本体によって認識済みのＦＰＤ４が保持されている。術者は、このホルダＨに保持されているＦＰＤ４のいずれかを選択し天板２に載置することでＸ線撮影を実行する。【００３５】
Ｘ線撮影に先立ち、これまで一度も撮影に用いたことがないＦＰＤ４をＸ線撮影装置本体に認識させるには、いちどＸ線撮影装置本体と認識させたいＦＰＤ４とをケーブルで接続させる操作がなされる。この様にすると、Ｘ線撮影装置本体は、ケーブルで接続されたＦＰＤ４を術者により選択されうるＦＰＤ４の１つであるものと認識する。なお、ＦＰＤ４の認識が完了した後は、ＦＰＤ４をＸ線撮影装置１に物理的に接続しなくてもＦＰＤ４とＸ線撮影装置本体は無線を通じて情報のやりとりをすることができるようになる。【００３６】
＜術者がＦＰＤを選択する必要性＞
Ｘ線撮影装置１においては、上述のようにＸ線撮影装置本体に複数のＦＰＤ４を認識させておくことができる。撮影に用いるＦＰＤ４は、認識された複数のＦＰＤ４のうちの一つであることからすると、複数のＦＰＤ４のうちどれを撮影に用いるかを術者が指定する必要がある。この指定は、Ｘ線撮影装置本体に付属の操作卓２６に表示されたＦＰＤ４のリストの中から術者が撮影に用いようとするＦＰＤ４を選択することでなされる。この様に操作卓２６は、複数のＦＰＤ４を区別する符号を表示して複数のＦＰＤ４のうち撮影に用いるＦＰＤ４を術者に選択させるように構成されている。操作卓２６は、本発明の入力手段に相当する。【００３７】
術者の操作卓２６を通じたＦＰＤ４の選択方法を具体的に説明する。図２は、操作卓２６の表示部を表している。表示部には、認識されたＦＰＤ４の数だけそれらを選択させる目的のアイコンが現れている。術者がこのアイコンのうちの一つに触れて選択すると、Ｘ線撮影装置本体は、選択されたアイコンに対応するＦＰＤ４が撮影に用いられるものと認識する。アイコンには、「ＦＰＤ１」、「ＦＰＤ２」、「ＦＰＤ３」というようにＦＰＤ４が番号づけされて区別されている。図２の説明ではＸ線撮影装置本体に３つのＦＰＤ４が認識されているものとする。認識されたＦＰＤ４が増えればそれに応じて操作卓２６に描写されるアイコンの数も増えることになる。なお、アイコンの区別は上述のような番号を必ず用いる必要は無く、ＦＰＤ４同士を区別できる任意の符号を用いてもよい。なお、操作卓２６の表示部には上述のアイコンの他に術者にＸ線照射開始の指示を入力させるアイコンなどが表示されている。【００３８】
このように、実施例１のＸ線撮影装置１は、複数のＦＰＤ４を使い分けながら撮影を行う構成となっている。したがって、術者がホルダＨに置かれたＦＰＤ４を容易に区別できるようにしなければならない。さもないと、術者が操作卓２６を通じて撮影に用いるＦＰＤ４を選択しようとしたときに、術者は操作卓２６上のどのアイコンに触れればいいのか分からなくなるからである。【００３９】
しかしながら、術者が一見したところホルダＨに置かれたＦＰＤ４を区別することは容易ではない。ＦＰＤ４の各々には、型番や個体に固有の製造番号が刻印されてはいるものの、型番や製造番号は検出面４ａの裏側に小さく刻印されているに過ぎない。しかも、型番や製造番号は桁数の多いアルファベットや数字の羅列であり、術者は、型番や製造番号を一見してもＦＰＤ４の個体差を確認しづらい。したがって、実施例１に係るＦＰＤ４には、個体の識別性を向上させる目的でＦＰＤ４に固有の色（区別色）が割り当てられており、ＦＰＤ４の各々には異なる区別色のシールｓが貼り付けられている。この様に、複数のＦＰＤ４は、シールｓにより個体を識別する色づけがされている。【００４０】
図３は、ＦＰＤ４に貼り付けられたシールｓについて説明している。シールｓは、矩形となっているＦＰＤ４の検出面４ａ側の周囲を縁取るように貼り付けられており、これによってＦＰＤ４の当該部分が色づけされている。従ってＦＰＤ４におけるシールｓは、額縁状の形状を形作っている。シールｓは、ＦＰＤ４の検出面４ａを避けて貼り付けられているのでこれについて説明する。検出面４ａの周囲には、検出面４ａを保護する目的で額縁状の補強部材が設けられている。シールｓは、ＦＰＤ４における検出面４ａを囲む補強部材を覆うように設けられている。この様にすることでシールｓは、検出面４ａの外側にあることになり、検出面４ａ避けて設けられていることになる。このシールｓは、Ｘ線撮影装置本体にケーブルを通じて認識されたＦＰＤ４の各々に設けられている。【００４１】
術者は、このシールｓを手がかりにＦＰＤ４を容易に区別することができる。すなわち、実施例１の構成では、ＦＰＤ４の各々には、ＦＰＤ４によって異なる色が付けられたシールｓが貼り付けられることにより色づけがされているのである。例えば、あるＦＰＤ４に貼り付けられたシールｓは、赤色であり、別のＦＰＤ４に貼り付けられたシールｓは青色となっている。また、別のＦＰＤ４に貼り付けられたシールｓは緑色となっている。赤色、青色、緑色のシールが貼り付けられたＦＰＤ４をそれぞれ、図４に示すようにＦＰＤ４ｒ，ＦＰＤ４ｂ，ＦＰＤ４ｇと呼ぶことにする。【００４２】
＜テーブルＴについて＞
続いて、記憶部２８が記憶するテーブルＴについて説明する。テーブルＴは、図５に示すようにＦＰＤ４の個体を表す番号と個体識別用の区別色とが関連したテーブルとなっている。このテーブルＴは、術者が予めＦＰＤ４にシールｓを貼り付けるときに合わせて操作卓２６を通じて作成されるものである。このテーブルＴは、操作卓２６に表示されるＦＰＤ４を区別する番号「ＦＰＤ１」、「ＦＰＤ２」、「ＦＰＤ３」と、ＦＰＤ４の区別色が関連づけられている。ここで番号「ＦＰＤ１」は、赤色のシールｓが貼り付けられたＦＰＤ４ｒに相当し、番号「ＦＰＤ２」は、青色のシールｓが貼り付けられたＦＰＤ４ｂに相当し、番号「ＦＰＤ３」は、緑色のシールｓが貼り付けられたＦＰＤ４ｇに相当するものとする。すなわち、テーブルＴはＦＰＤ４に付された区別色と、ＦＰＤ４を識別する符号とが関連づけられたものとなっている。記憶部２８は、本発明の記憶手段に相当する。【００４３】
＜コリメータについて＞
Ｘ線管３には、Ｘ線の照射範囲を制限するコリメータ３ａが設けられている（図１参照）。コリメータ３ａは、開度の調節が可能となっている。コリメータ３ａは、図６に示すように、軸Ｃを基準として鏡像対称に移動する１対の遮蔽羽根３ｂを有し、同じく軸Ｃを基準として鏡像対称に移動するもう１対の遮蔽羽根３ｂを備えている。このコリメータ３ａは、遮蔽羽根３ｂを移動させることで、ＦＰＤ４が有する検出面４ａの全面にコーン状のＸ線Ｂを照射させることもできれば、たとえば、検出面４ａの中心部分だけにファン状のＸ線Ｂを照射させることもできる。なお、軸Ｃは、Ｘ線Ｂの中心を示す軸となっている。また、遮蔽羽根３ｂの２対のうち一方は、４角錐形状となっているＸ線Ｂの体軸方向Ａへの広がりを調整するものであり、もう一方の遮蔽羽根３ｂの対は、Ｘ線Ｂの体側方向Ｓへの広がりを調整するものである。Ｘ線管３を移動させるとコリメータ３ａもＸ線管３に伴って移動する。遮蔽羽根３ｂの移動は、術者が手動により行うことができる。【００４４】
＜可視光源について＞
可視光源９は、可視光線を照射するものであり、図１に示すようにコリメータ３ａに設けられている。可視光源９から照射された可視光線は、コリメータ３ａの遮蔽羽根３ｂの隙間を通過して被検体Ｍの一部を照射する。Ｘ線管３から照射されるＸ線も同様にコリメータ３ａの遮蔽羽根３ｂの隙間を通過して被検体Ｍの一部に照射されるのであるから、可視光源９が照らす被検体Ｍの部分と、Ｘ線管３が出力するＸ線ビームが照らす被検体Ｍの部分は一致する。可視光源９は、術者に目視されることができるのであるから、術者はＸ線撮影の前にＸ線が被検体Ｍを照らす部分（照射領域、または照射野）を目視することができる。可視光源制御部９ａは、可視光源９を制御する目的で設けられている。【００４５】
実施例１に係る可視光源９は、可視光源制御部９ａの制御に従って発光色を変更できるようになっている。従って、可視光源９は、可視光源制御部９ａの制御に従って赤色、青色、緑色の各色のいずれかを出力することができる。この可視光源９が発することができる発光色の各々は、上述のＦＰＤ４に付された区別色の各々に対応している。このように、可視光源制御部９ａは、可視光源９に対して発光の開始および終了について制御するのみならず、発光色を制御する発光色制御手段ともなっている。従って、可視光源制御部９ａは、本発明の発光色制御手段に相当する。【００４６】
次に、Ｘ線管３とコリメータ３ａとの位置関係について説明する。図７は、各部材の位置関係を説明する模式図である。Ｘ線管３には、Ｘ線が照射する照射口３ｐが設けられている。【００４７】
コリメータ３ａには、照射口３ｐに対して傾斜したミラー１５が設けられている。コリメータ３ａには、被検体Ｍからみてミラー１５によるＸ線管３の焦点位置の鏡像と同じ位置になるように可視光源９が設けられている。ミラー１５は、可視光源９から照射される可視光線を反射させて、可視光線をコリメータ３ａに向けて照射させるとともに、Ｘ線管３から照射されるＸ線を透過させて、Ｘ線をコリメータ３ａに向けて照射させる。【００４８】
主制御部２７（図１参照）は、各制御部を統括的に制御する目的で設けられている。この主制御部２７は、ＣＰＵによって構成され、各種のプログラムを実行することによりＸ線管制御部６および各部を実現している。また、上述の各部は、それらを担当する演算装置に分割されて実行されてもよい。記憶部２８は、複数のＦＰＤ４を区別する番号（符号）とＦＰＤ４に付された色とが関連したテーブルＴ等、装置制御に関する情報の一切を記憶する。表示部２９は、撮影された画像を表示するなどの目的で設けられている。【００４９】
＜Ｘ線撮影装置の動作：載置ステップＳ１＞
続いて、Ｘ線撮影装置１の動作について図８を参照しながら説明する。実施例１に係るＸ線撮影装置１を用いて撮影を行うには、まず、術者がホルダＨに置かれたＦＰＤ４のうちの一つを選択して取り出し、これを検出面４ａがＸ線管３を向く向きで天板２に載置し、その上から被検体Ｍを天板２に載置する。このとき、術者は、赤色のシールｓが貼り付けられたＦＰＤ４ｒを天板２に載置したものとする。ＦＰＤ４ｒを天板２に載置する際、術者は、ＦＰＤ４を載置するときにＦＰＤ４に貼り付けられたシールｓの区別色が赤色であることに気が付く。【００５０】
また、術者はＦＰＤ４ｒを天板２に載置した後であっても、上述の区別色を確認することができる。天板２にＦＰＤ４ｒを載置する際、検出面４ａが上面に来るように置かれるからである。シールｓは、ＦＰＤ４における検出面４ａと同じ面に貼り付けられているから、術者はＦＰＤ４ｒの載置後であっても上述の区別色を確認することができる。更に、術者は、被検体Ｍが天板２に載置されＦＰＤ４ｒが被検体Ｍに覆われた後であっても、上述の区別色を確認することができる。被検体Ｍの体側方向の幅よりも広くなっているので、ＦＰＤ４の端部が被検体Ｍからはみ出して見えるからである。シールｓは、検出面４ａの周囲に貼り付けられているから、シールｓは、ＦＰＤ４における被検体Ｍからはみ出た部分に位置しているのである。【００５１】
＜ＦＰＤ選択ステップＳ２＞
続いて、術者は、Ｘ線撮影装置本体に付属の操作卓２６撮影に用いるＦＰＤ４の選択を行う。このとき、術者は、「ＦＰＤ１」を選択したものという認識であるものとし、操作卓２６上のアイコンのうち「ＦＰＤ１」の表示があるものに触れたとする。すると、Ｘ線撮影装置本体は、これより行われる撮影に「ＦＰＤ１」が使用されることを認識する。被検体Ｍの下に設置されたＦＰＤ４ｒが「ＦＰＤ１」に対応することにをいかにして術者が知るのかということについては、複数の具体例を例示することができる。例えば、術者が操作卓２６を通じてテーブルＴ（図７参照）を表示させてこれを確認するようにしてもよいし、ＦＰＤ４ｒに操作卓２６に表示された番号と同じ「ＦＰＤ１」が記されたシールを貼り付け、術者がこれを確認するようにしてもよい。また、「ＦＰＤ１」などの番号と区別色の対応関係を術者が暗記するようにしてもよい。【００５２】
術者が行ったＦＰＤ４の選択の内容は、主制御部２７に送出される。主制御部２７は、この選択内容に応じてアクセスポイント１０を制御することにより、選択されたＦＰＤ４ｒとアクセスポイント１０とのリンクを確立する。これにより、ＦＰＤ４ｒがＸ線撮影装置１の構成要素に組み込まれることになる。【００５３】
＜可視光照射ステップＳ３＞
その後、術者は、コリメータ３ａの開度を調節しようとして術者が操作卓２６を通じてその旨の指示を操作卓２６を通じて行うと、可視光源制御部９ａは、可視光源９に対して可視光線照射開始の指示を与える。可視光源９から発せられた可視光線は、ミラー１５で反射された後、コリメータ３ａでコリメートされて被検体Ｍの一部を照らす。この可視光線により照らされる部分は、これから照射されようとするＸ線が到達する部分と一致している。このようにして、術者はＸ線撮影に先立って被検体Ｍのどの部分にＸ線が照射されるのかを知ることができる。なお、コリメータ３ａの開度の調節を開始する旨の指示は、操作卓２６の代わりにコリメータ３ａに設けられたボタンによって行われてもよい。このような構成を採用した場合は、術者が当該ボタンを押下すると、可視光源制御部９ａが可視光源９に対して可視光線照射開始の指示を与えるように動作することになる。【００５４】
なお、可視光が照射されているこの時点でコリメータ３ａの開度を手動で調節すれば、それに応じてこれから照射されようとするＸ線の到達範囲も変化する。つまり術者は、この可視光線が照射されている状態で、コリメータ３ａの開度を調節したり、Ｘ線管３に対するＦＰＤ４ｒや被検体Ｍの位置の調節をすることで、これから照射されようとしているＸ線の照射範囲を調整することができるのである。このように、可視光線を用いてＸ線の照射範囲の調整を事前に行っておけば、術者は、Ｘ線の撮影を狙い通りに行うことができる。【００５５】
＜本発明の最も特徴的な構成＞
ここで、本発明の最も特徴的な構成について説明する。すなわち、実施例１の構成によれば、術者が選択したＦＰＤ４の種類に応じて可視光源９から発せられる光の発光色が変化するように構成されている。すなわち、術者がＦＰＤ選択ステップＳ２においてＦＰＤ４ｒを選択しているときは、図９に示すように赤色の光が可視光源９から発せられるのである。なお、図９においては、説明の便宜上、Ｘ線管３やコリメータ３ａに付属のミラー１５等を省略している。同様の省略は図１０においてもなされている。【００５６】
このときの具体的な動作について説明する。術者が操作卓２６を通じてコリメータ３ａの開度の調節の開始を指示すると、可視光源制御部９ａは、まず、記憶部２８に記憶するテーブルＴを読み出す。そして、可視光源制御部９ａは、前のＦＰＤ選択ステップＳ２において選択された「ＦＰＤ１」に対応する区別色を取得する。このとき可視光源制御部９ａが取得する区別色は、図５を参照すれば分かるとおり、赤色である。【００５７】
そして、可視光源制御部９ａは、可視光源９に対して発光色を赤色に設定する信号を送信するとともに発光開始を意味する信号を送信する。可視光源９は、これら２つの信号に従い、赤色の発光色で発光する。すると、可視光源９から照射された赤色光が、図９の左側に示すようにコリメータ３ａにコリメートされ、被検体Ｍと被検体Ｍの背面に位置するＦＰＤ４ｒの一部を照らす。図９の右側は、被検体Ｍの背面に位置しているＦＰＤ４ｒを図示している。【００５８】
ここで、術者は、ＦＰＤ選択ステップＳ２において自らの選択が正しいことを容易に知ることができる。可視光の発光が開始された時点で術者はＦＰＤ４ｒに貼り付けられたシールｓの色と、可視光源９から照射された可視光の色とが一致することを確認するからである。この確認を終えた術者は、コリメータ３ａの調節等の作業に移る。術者がシールｓの色と可視光の色とが一致することを確認するときの具体例としては、可視光照射ステップＳ３において被検体Ｍの下からはみ出して見えるＦＰＤ４ｒのシールｓを術者が目視するようにしてもよいし、術者が載置ステップＳ１でＦＰＤ４ｒに貼り付けられたシールｓの色を覚えており、これに基づいて色の一致を確認するようにしてもよい。【００５９】
術者は、コリメータ３ａの調節等の作業を終えると、操作卓２６を通じてコリメータ３ａの開度の調節の終了を指示する。すると、可視光源制御部９ａは、発光終了を意味する信号を可視光源９に送出する。可視光源９は、これに従い発光を終了する。【００６０】
＜発光色の制御＞
ところで、上述で説明した動作ではＦＰＤ選択ステップＳ２において術者が操作卓２６を通じて「ＦＰＤ１」を選択した場合、赤色の可視光が照射されている。ここで、ＦＰＤ選択ステップＳ２において、術者が「ＦＰＤ１」ではない他のＦＰＤ４を選択していたとすると、可視光源９から発せられる可視光の色は赤色ではなく青色や緑色となる。具体的には、術者が「ＦＰＤ２」を選択した場合は、テーブルＴにおいて「ＦＰＤ２」に対応づけられている青色で可視光源９が発光し、術者が「ＦＰＤ３」を選択した場合は、テーブルＴにおいて「ＦＰＤ３」に対応づけられている緑色で可視光源９が発光する。このように、可視光源制御部９ａは、可視光源９から発する光の色が操作卓２６を通じて選択されたＦＰＤ４の個体を識別する色となるように可視光源９の発光色を制御する。【００６１】
図１０は、ＦＰＤ選択ステップＳ２において術者がＦＰＤ４の選択を誤った場合について説明している。図１０においても図９で説明したのと同様に、術者は載置ステップＳ１においてＦＰＤ４ｒを天板２に載置している。従って、術者はＦＰＤ選択ステップＳ２においてＦＰＤ４ｒを意味する「ＦＰＤ１」を選択すべきである。しかし、このときの術者は誤って「ＦＰＤ２」を選択してしまったとする。【００６２】
この状態で術者がコリメータ３ａの開度の調節の開始を操作卓２６を通じて指示すると、可視光源制御部９ａは、上述のように青色光で発光するように可視光源９を制御する。すると、可視光源９から照射された青色光が、図１０の左側に示すようにコリメータ３ａにコリメートされ、被検体Ｍと被検体Ｍの背面に位置するＦＰＤ４ｒの一部を照らす。このとき、術者は、ＦＰＤ選択ステップＳ２においてＦＰＤ４の選択が誤っていたことに気が付く。ＦＰＤ４ｒに貼り付けられているシールｓの色と可視光の色とが一致しないからである。術者がシールｓの色と可視光の色とが不一致であることを確認するときの具体例としては、可視光照射ステップＳ３において被検体Ｍの下からはみ出して見えるシールｓを術者が目視するようにしてもよいし、術者が載置ステップＳ１でＦＰＤ４ｒに貼り付けられたシールｓの色を覚えており、これに基づいて色の不一致を確認するようにしてもよい。ＦＰＤ４の選択の誤りに気が付いた術者はもう一度ＦＰＤ選択ステップＳ２から撮影をやり直すことができる。【００６３】
＜撮影開始ステップＳ４＞
術者が、操作卓２６を通じて撮影開始の指示をＸ線撮影装置１に与えると、Ｘ線管３よりＸ線が照射され、画像の撮影が開始される。このとき、主制御部２７は、ＦＰＤ４ｒに対して種々の制御を行う。ＦＰＤ４ｒが出力したＸ線の検出信号は、アクセスポイント１０を通じて画像生成部１１に送出される。画像生成部１１で生成された画像が表示部２９に表示されて、実施例１に係るＸ線撮影は終了となる。【００６４】
以上のように、本発明のＸ線撮影装置１は、個体を識別する色づけがされた複数のＦＰＤ４と、撮影用に選択されたＦＰＤ４に対応する色で発光する可視光源９を備えている。この可視光源９は、Ｘ線撮影に先立ってコリメータ３ａを調節するときに用いる光源である。Ｘ線撮影をするときには、Ｘ線の照射を実行する前に、可視光源９を用いてコリメータ３ａの開度の調節がなされる。従って、可視光源９から発する光の色は、撮影の際、術者に確実に認識される。この可視光源９から発する光の色の種類は、術者が操作卓２６を通じて選択したＦＰＤ４の個体を表している。従って、例え術者のＦＰＤ４の選択に係る入力が誤っていたとしても、ＦＰＤ４に付けられた色と、可視光源９から発する光の色とが不一致となったことから入力の誤りを確実に知ることができる。この時点で術者は速やかにＦＰＤ４の選択の入力をやり直すことができるのである。また、本発明によれば、術者はＸ線照射の前に入力の誤りを知ることができるので、被検体Ｍに対する無駄なＸ線被曝を抑制することもできる。【００６５】
また、上述のように、可視光源制御部９ａが操作卓２６に表示される個体区別用の符号と、ＦＰＤ４に付された個体区別用の色とが関連したテーブルＴに基づいて、可視光源９の発光色を制御すれば、操作卓２６で選択されたＦＰＤ４の個体をより確実に反映して可視光源９を発光させることができる。【００６６】
上述のように、ＦＰＤ４の周囲を縁取るように色づけがされていれば、術者は、撮影に用いようとしているＦＰＤ４はどの個体であるのかを確実に知ることができる。撮影の際、被検体Ｍの下にＦＰＤ４を配置したときに、術者がＦＰＤ４における被検体Ｍからはみ出して見える部分に確実にＦＰＤ４の個体を区別する色が現れることになるからである。【００６７】
また、ＦＰＤ４のＸ線を検出する検出面４ａの側に色づけがされていれば、術者は、撮影に用いようとしているＦＰＤ４はどの個体であるのかを確実に知ることができる。撮影の際、被検体Ｍからはみ出しているＦＰＤ４は、術者からはＦＰＤ４の検出面４ａが設けられている側が見えているからである。【００６８】
そして、ＦＰＤ４の色づけをシールｓにより行えば、既存のＦＰＤ４に本発明を適用することができる。【００６９】
また、本発明は、ＦＰＤ４が無線式となっているＸ線撮影装置１に適用できる。【００７０】
本発明は上述の構成に限られず、下記のように変形実施することができる。【００７１】
（１）本発明は、上述のような検査室に設置されているタイプのＸ線撮影装置１に限られず、回診用のＸ線撮影装置にも適用することができる。【００７２】
（２）上述の実施例においては、無線式のＦＰＤ４について説明がされていたが、本発明はこの構成に限られず、本発明は、有線式のＦＰＤ４が備えられたＸ線撮影装置１についても適応ができる。この際、図１で説明したアクセスポイント１０は、必ずしも必要とはされない。【００７３】
（３）上述した実施例においては、可視光源９は、赤色、青色、緑色の３色のうちのいずれかで発光できるようになっていたが、本発明はこれに限られず、可視光源９がこれ以外の色で発光するようにしてもよいし、可視光源９が切り替えられる色の数も自由に選択できる。【００７４】
（４）上述した実施例においては、Ｘ線撮影装置本体に認識されているＦＰＤ４は、３台であったが、本発明はこの構成に限られない。認識されるＦＰＤ４は、２台以上であれば、本発明を適用できる。【００７５】
（５）上述した実施例は、医用の装置であったが、本発明は、工業用や、原子力用の装置に適用することもできる。【００７６】
（６）上述した実施例のいうＸ線は、本発明における放射線の一例である。したがって、本発明は、Ｘ線以外の放射線にも適用できる。
【産業上の利用可能性】
【００７７】
以上のように、上述の発明は、医用分野に適している。
【符号の説明】
【００７８】
３     Ｘ線管（放射線源）
３ａ   コリメータ
４     ＦＰＤ（検出手段）
９     可視光源
９ａ   可視光源制御部（発光色制御手段）
１０   アクセスポイント
１１   画像生成部（画像生成手段）
１５   ミラー
２６   操作卓（入力手段）
２８   記憶部（記憶手段）
【図１】
0005954485.tif 000002
【図２】
0005954485.tif 000003
【図３】
0005954485.tif 000004
【図４】
0005954485.tif 000005
【図５】
0005954485.tif 000006
【図６】
0005954485.tif 000007
【図７】
0005954485.tif 000008
【図８】
0005954485.tif 000009
【図９】
0005954485.tif 000010
【図１０】
0005954485.tif 000011
【図１１】
0005954485.tif 000012